(57)【要約】      （修正有）【課題】複数のＬＥＤの点灯パターンの組み合わせに固有の意味を持たせる場合に、同時に複数のＬＥＤの点灯パターンが変化させることができ、また、点滅タイミングの同期をとりやすくする。【解決手段】装置の状態を示す複数の表示灯（ＰｏｗｅｒＬＥＤ、ＢｕｓｙＬＥＤ、ＥｒｒｏｒＬＥＤ）を備える表示灯部５と、表示灯部の制御を行うオートローダ制御部１０２と、オートローダ制御部１０２に制御コマンドを送信する主制御部１０１と、を備え、主制御部は、表示灯部の表示灯のうち、指定された複数の表示灯の点灯パターンを同時に変更可能な表示灯同時制御コマンドを生成する表示灯同時制御コマンド生成部１０１Ａを有し、オートローダ制御部は、表示灯同時制御コマンドを、指定された表示灯の表示パターンを同時に変更する制御信号に変換する表示灯同時制御コマンド変換部１０２Ａを有する。【選択図】図６
2010086610.tif 000002
【特許請求の範囲】
【請求項１】
メディアへデータの書込みを行うメディアドライブと、
前記メディアのレーベル面への印刷を行うレーベルプリンタと、
前記メディアを保管するメディア保管部と、
前記メディアドライブ、前記レーベルプリンタ及び前記メディア保管部に前記メディアを搬送可能なメディア搬送機構と、
装置の状態を示す複数の表示灯を備える表示灯部と、
前記メディアドライブ及びメディア搬送機構の制御に加えて、前記表示灯部の制御を行うオートローダ制御部と、
前記オートローダ制御部に制御コマンドを送信する主制御部と、
を備え、
前記主制御部は、前記表示灯部の表示灯のうち、指定された複数の表示灯の点灯パターンを同時に変更可能な表示灯同時制御コマンドを生成する表示灯同時制御コマンド生成部を有し、
前記オートローダ制御部は、前記表示灯同時制御コマンドを、指定された表示灯の表示パターンを同時に変更する制御信号に変換する表示灯同時制御コマンド変換部を有することを特徴とするメディア処理装置。
【請求項２】
メディアへデータの書込みを行うメディアドライブと、
前記メディアのレーベル面への印刷を行うレーベルプリンタと、
前記メディアを保管するメディア保管部と、
前記メディアドライブ、前記レーベルプリンタ及び前記メディア保管部に前記メディアを搬送可能なメディア搬送機構と、
装置の状態を示す複数の表示灯を備える表示灯部と、
前記メディアドライブ及びメディア搬送機構の制御に加えて、前記表示灯部の制御を行うオートローダ制御部と、
前記オートローダ制御部に制御コマンドを送信する主制御部と、を有するメディア処理装置の制御方法であって、
前記主制御部は、前記複数の表示灯を同時制御可能な表示灯同時制御コマンドを生成して、前記オートローダ制御部へ送信するステップと、
前記オートローダ制御部は、前記主制御部から送信された前記表示灯同時制御コマンドを受信し、当該同時制御コマンドにより指定された表示灯を制御して、その表示パターンを同時に変更させるステップと、
を含むことを特徴とするメディア処理装置の制御方法。
【請求項３】
請求項２に記載されたメディア処理装置の制御方法の各手順を、前記オートローダ制御部のコンピュータ及び前記主制御部のコンピュータに実行させることを特徴とするメディア処理装置の制御プログラム。
【発明の詳細な説明】
【技術分野】
【０００１】
メディア処理装置、メディア処理装置の制御方法及びそのプログラムに関し、特に、複数の表示灯に同時に表示制御を行うメディア処理装置、メディア処理装置の制御方法及びそのプログラムに関する。
【背景技術】
【０００２】
近年、多数枚のブランクＣＤ（Compact Disc）やＤＶＤ（Digital Versatile Disc）等のメディア（情報記録媒体）にデータの書き込みとレーベル印刷を行うメディア処理装置が用いられつつある。この種のメディア処理装置としては、円板状のメディアを積層状態で収容するメディアスタッカ（メディア収容部）、メディアへデータを書き込むメディアドライブ及びメディアのレーベル面に印刷を施すレーベルプリンタ（メディア処理部）、これらメディア処理部（メディアドライブやレーベルプリンタ）に対してメディアを保持して搬送するメディア搬送機構を備えたものが知られている。
【０００３】
このようなメディア処理装置には、装置の状態表示は表示灯で行われている。例えば、特許文献１に開示されたメディア処理装置では、表示灯である複数のＬＥＤ（Light Emitting Diode：発光ダイオード）を所定の点灯パターンで発光（点灯または点滅）させて、各メディアスタッカの状態を表示する。
【０００４】
上記特許文献１のような従来のメディア処理装置においては、状態表示を行うＬＥＤに対する制御は、個々のＬＥＤに対してそれぞれ個別に行っている。
従来のＬＥＤの制御方法について、図１０を参照して説明する。図１０は、従来の制御方法によって、メディア処理装置の３つのＬＥＤに対し、点灯パターンを変更する場合の制御シーケンスを示す図である。
【０００５】
図１０に示すように、メディア処理装置の制御部は、複数（３つ）のＬＥＤに対し、順次制御コマンドを発行し、制御を行っている。図１０の例は、誤作動状態を示すエラー表示灯であるＥｒｒｏｒＬＥＤ、電源表示灯であるＰｏｗｅｒＬＥＤ、ビジー表示灯であるＢｕｓｙＬＥＤ３つのＬＥＤの点灯パターンを変更する例である。
【０００６】
図１０において、まず、メディア処理装置の制御部はＰｏｗｅｒＬＥＤに対する制御コマンドを発行し（ステップＳ１０１）、制御信号をＰｏｗｅｒＬＥＤ送信して（ステップＳ１０２）、点灯パターンを例えば、「消灯」から「点灯」へ変更する（ステップＳ１０３）。次に、制御部はＢｕｓｙＬＥＤに対する制御コマンドを発行し（ステップＳ１０４）、制御信号をＢｕｓｙＬＥＤに送信して（ステップＳ１０５）点灯パターンを例えば、「消灯」から「点滅」へ変更する（ステップＳ１０６）。さらに、制御部はＥｒｒｏｒＬＥＤに対する制御コマンドを発行し（ステップＳ１０７）、制御信号をＥｒｒｏｒＬＥＤ送信して（ステップＳ１０８）点灯パターンを例えば、「消灯」から「点滅」へ変更する（ステップＳ１０９）。
【特許文献１】特開２００８−１０３０３２号公報
【発明の開示】
【発明が解決しようとする課題】
【０００７】
複数のＬＥＤの点灯パターンの組み合わせに固有の意味を持たせるようにすれば、少ないＬＥＤであっても、メディア処理装置の各種の状態を示すことができる。しかしながら、この場合、ＬＥＤ個々の状態変化と区別がつくように、同時に複数のＬＥＤの点灯パターンが変化することが望ましい。
前述の如く、従来のメディア処理装置においては、状態表示を行うＬＥＤに対する制御は、個々のＬＥＤに対してそれぞれ個別に行っているので、複数のＬＥＤの点灯パターンを変化させる場合は、各ＬＥＤに順次制御コマンドを送信する必要があった。このため、制御コマンドに対する反応性が悪いと、ＬＥＤ毎に点灯パターンが変化するタイミングがずれてしまい、ＬＥＤ個々の状態変化の場合との区別がわかりづらいという問題がある。
また、複数のＬＥＤが同時に点滅することで固有の意味を持たせる場合は、点滅タイミングの同期をとることが好ましいが、上記のような従来のメディア処理装置では、点滅タイミングの同期が取りづらいという問題がある。
【０００８】
本発明の目的は上記課題を解消することに係り、複数のＬＥＤの点灯パターンの組み合わせに固有の意味を持たせる場合に、同時に複数のＬＥＤの点灯パターンを変化させることができ、また、点滅タイミングの同期がとりやすいようにすることができるメディア処理装置、メディア処理装置の制御方法及びそのプログラムを提供することである。
【課題を解決するための手段】
【０００９】
上記目的を達成するために、本発明に係るメディア処理装置は、メディアへデータの書込みを行うメディアドライブと、
前記メディアのレーベル面への印刷を行うレーベルプリンタと、
前記メディアを保管するメディア保管部と、
前記メディアドライブ、前記レーベルプリンタ及び前記メディア保管部に前記メディアを搬送可能なメディア搬送機構と、
装置の状態を示す複数の表示灯を備える表示灯部と、
前記メディアドライブ及びメディア搬送機構の制御に加えて、前記表示灯部の制御を行うオートローダ制御部と、
前記オートローダ制御部に制御コマンドを送信する主制御部と、
を備え、
前記主制御部は、前記表示灯部の表示灯のうち、指定された複数の表示灯の点灯パターンを同時に変更可能な表示灯同時制御コマンドを生成する表示灯同時制御コマンド生成部を有し、
前記オートローダ制御部は、前記表示灯同時制御コマンドを、指定された表示灯の表示パターンを同時に変更する制御信号に変換する表示灯同時制御コマンド変換部を有することを特徴とする。
上記制御構成によれば、１つの表示灯同時制御コマンドによって、同時に複数の表示灯の点灯パターンを変更させることができるので、複数の表示灯の点灯パターンの組み合わせに固有の意味を持たせる場合に、個々の表示灯の点灯パターンの変化タイミングのずれを無くすこと、あるいは、少なくすることができる。また、複数の表示灯を同時に点滅させたい場合に、点滅タイミングの同期がとりやすいようにすることができる。
また、オートローダ制御部と主制御部がそれぞれ独立して設けられているので、ホストコンピュータのソフトウェア仕様変更等があっても、主制御部の変更（主制御部の交換あるいは、主制御部のソフトウェアの更新）のみで対処することができる。
【００１０】
本発明に係るメディア処理装置の制御方法は、メディアへデータの書込みを行うメディアドライブと、
前記メディアのレーベル面への印刷を行うレーベルプリンタと、
前記メディアを保管するメディア保管部と、
前記メディアドライブ、前記レーベルプリンタ及び前記メディア保管部に前記メディアを搬送可能なメディア搬送機構と、
装置の状態を示す複数の表示灯を備える表示灯部と、
前記メディアドライブ及びメディア搬送機構の制御に加えて、前記表示灯部の制御を行うオートローダ制御部と、
前記オートローダ制御部に制御コマンドを送信する主制御部と、を有するメディア処理装置の制御方法であって、
前記主制御部は、前記複数の表示灯を同時制御可能な表示灯同時制御コマンドを生成して、前記オートローダ制御部へ送信するステップと、
前記オートローダ制御部は、前記主制御部から送信された前記表示灯同時制御コマンドを受信し、当該同時制御コマンドにより指定された表示灯を制御して、その表示パターンを同時に変更させるステップと、
を含むことを特徴とする。
上記制御方法によれば、複数の表示灯の点灯パターンの組み合わせに固有の意味を持たせる場合に、個々の表示灯の点灯パターンの変化タイミングのずれを無くすこと、あるいは、少なくすることができる。また、複数の表示灯を同時に点滅させたい場合に、点滅タイミングの同期がとりやすいようにすることができる。
【００１１】
本発明に係るメディア処理装置の制御プログラムは、メディア処理装置の制御方法の各手順を、前記オートローダ制御部のコンピュータ及び前記主制御部のコンピュータに実行させることを特徴とする。
上記制御プログラムを実行すれば、複数の表示灯の点灯パターンの組み合わせに固有の意味を持たせる場合に、個々の表示灯の点灯パターンの変化タイミングのずれを無くすこと、あるいは、少なくすることができる。また、複数の表示灯を同時に点滅させたい場合に、点滅タイミングの同期がとりやすいようにすることができる。
【発明を実施するための最良の形態】
【００１２】
以下、本発明に係るメディア処理装置、メディア処理装置の制御方法及びその制御プログラムの実施形態を、図面を参照しつつ説明する。
図１は、各部を閉状態としたメディア処理装置の外観斜視図、図２は各部を開状態としたメディア処理装置の外観斜視図、図３はメディア処理装置のケースを外した状態の前方上側から見た斜視図である。図４はメディア処理装置に設置されたレーベルプリンタ部分の斜視図である。
【００１３】
まず、本実施形態のメディア処理装置の全体構成について説明する。
図１に示すように、メディア処理装置１は、ＣＤやＤＶＤ等の円板状のメディアヘのデータの書き込みやメディアのレーベル面への印刷を行う装置であり、ほぼ直方体形状のケース２を備えている。このケース２の前面には、開閉可能な開閉扉３,４が取り付けられている。ケース２の上側左端部には、装置の状態を示す複数のＬＥＤ（表示灯）を備える表示灯部５が設けられている。また、ケース２の下端には、下方に突出するように載置用の脚部６が左右両側に設けられている。左右の脚部６の間位置には引出機構７が設けられている。
【００１４】
正面視右側の開閉扉３は、図２に示すように、メディア処理装置１の前面側の開口部８を開閉するもので、例えば未使用（ブランク）のメディアＭを開口部８を介してセットする時、あるいは作成済みのメディアＭを、開口部８を介して取り出すときに、開閉する扉である。
【００１５】
また、正面視左側の開閉扉４は、図３に示すレーベルプリンタ１１のインクカートリッジ１２の入れ換え時に開閉するためのものであり、この開閉扉４を開けると、鉛直方向に配列された複数のカートリッジホルダ１３を有するカートリッジ装着部１４が露出するようになっている。
【００１６】
図２及び図３に示すように、メディア処理装置１のケース２の内部には、データ書き込み処理が行われていない複数枚（例えば５０枚）の未使用のメディアＭをスタック可能なメディア保管部としてのメディアスタッカ２１と、複数枚（例えば５０枚）の未使用のメディアＭあるいは作成済みメディアＭが保管されるメディア保管部としてのメディアスタッカ２２とが保管されるメディアＭの中心軸線が同一となるように上下に配置されている。メディアスタッカ２１及びメディアスタッカ２２は、それぞれ所定位置に対して着脱自在である。
【００１７】
上側のメディアスタッカ２１は、左右一対の円弧状の枠板２４，２５を備えており、これにより、メディアＭを上側から受け入れ、同軸に積層した状態で収容可能な構成をなしている。メディアスタッカ２１にメディアＭを収容あるいは補充する作業は、開閉扉３を開けてメディアスタッカ２１を取り出すことにより、簡単に行うことが可能となっている。
【００１８】
下側のメディアスタッカ２２も同一構造となっており、左右一対の円弧状の枠板２７，２８を備え、これによって、メディアＭを上側から受け入れ、同軸に積層した状態で収容可能なメディアスタッカが構成されている。
【００１９】
図３に示すように、メディアスタッカ２１及びメディアスタッカ２２の後側には、メディア搬送機構３１が配置されている。メディア搬送機構３１は、本体フレーム３０とシャーシ３２の天板３３との間に垂直に架け渡されている垂直ガイド軸３５を有している。この垂直ガイド軸３５に搬送アーム３６が昇降及び旋回可能な状態で支持されている。搬送アーム３６は、駆動モータ３７によって垂直ガイド軸３５に沿って昇降可能であるとともに、垂直ガイド軸３５を中心に左右に旋回可能である。
【００２０】
上下のメディアスタッカ２１，２２及びメディア搬送機構３１の側方の後方の部位には、上下に積層された２つのメディアドライブ４１が配置され、これらメディアドライブ４１の下側にレーベルプリンタ１１の後述するキャリッジ６２が移動可能に配置されている。
メディアドライブ４１は、メディアＭへのデータ書き込み位置とメディアＭの受け取り受け渡しを行うメディア受け渡し位置との間を移動可能なメディアトレイ４１ａをそれぞれ有している。
【００２１】
また、レーベルプリンタ１１は、メディアＭのレーベル面へのレーベル印刷可能な印刷位置とメディアＭの受け取り受け渡しを行うメディア受け渡し位置との間を移動可能なメディアトレイ４５を有している。
【００２２】
図３では、上下のメディアドライブ４１のメディアトレイ４１ａが手前に引き出されてメディア受け渡し位置にある状態及び下側のレーベルプリンタ１１のメディアトレイ４５が手前側のメディア受け渡し位置にある状態が示されている。また、レーベルプリンタ１１はインクジェットプリンタであり、インク供給機構６０として各色（例えば、ブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００２３】
ここで、メディアスタッカ２１の左右一対の枠板２４，２５の間及びメディアスタッカ２２の左右一対の枠板２７，２８の間には、メディア搬送機構３１の搬送アーム３６が昇降可能な隙間が形成されている。また、これら上下のメディアスタッカ２１とメディアスタッカ２２との間には、メディア搬送機構３１の搬送アーム３６が水平に旋回して、メディアスタッカ２２の真上に位置できるように隙間が開いている。さらに、両メディアトレイ４１ａをメディアドライブ４１に押し込むと、メディア搬送機構３１の搬送アーム３６を下降させて、メディア受け渡し位置にあるメディアトレイ４５にアクセス可能となっている。
【００２４】
メディア搬送機構３１の搬送アーム３６は、両メディアトレイ４１ａをデータ書き込み位置に位置させ、メディアトレイ４５を奥側の印刷位置に位置させた状態で、メディアトレイ４５の高さ位置よりもさらに下側まで下降可能となっている。そして、メディアトレイ４５のメディア受け渡し位置の下方には、搬送アーム３６がこの位置まで下降してリリースしたメディアＭが通過するガイド穴であって、後述するメディアスタッカ（別体メディアスタッカ）が装着されるガイド穴６５が形成されている。
【００２５】
図２及び図３に示すように、引出機構７は、本体フレーム３０の下側に、本体フレーム３０から引き出して開いたり、収納して閉じたりすることが可能な引出トレイ７０を有している。引出トレイ７０には、メディアスタッカ部７１が下方に凹んで設けられている。引出トレイ７０が収納位置（閉位置）にあるとき、メディアスタッカ部７１は、ガイド穴６５の下方に位置し、メディアスタッカ部７１の中心部は、受け渡し位置にある両メディアトレイ４１ａとメディアトレイ４５の中心軸線が同一となるように位置されている。このメディアスタッカ部７１は、ガイド穴６５を介して投入されるメディアＭを受け入れ、このメディアＭを比較的少量（例えば５枚〜１０枚程度）だけ収容する。メディアスタッカ部７１は、メディアＭを上側から受け入れ、同軸に積層した状態で収容可能となっている。
【００２６】
収納状態にある引出トレイ７０のメディアスタッカ部７１及びガイド穴６５には、メディアスタッカ部７１よりもメディアＭの収容量が多いメディアスタッカ（別体メディアスタッカ）７２が着脱可能となっている（図３参照）。このメディアスタッカ７２も、一対の円弧状の枠板７３，７４を備えており、これによって、メディアＭを上側から受け入れ、同軸に積層した状態で複数枚（例えば５０枚）収容可能となっている。一対の円弧状の枠板７３，７４の間には、メディア搬送機構３１の搬送アーム３６が昇降可能な隙間が形成されている。また、一方の枠板７４の上部には着脱時にユーザによって把持される取っ手７５が設けられている。
【００２７】
そして、メディアスタッカ７２を取り付けた状態とすれば、下側のメディアスタッカ２２から未使用のメディアＭを取り出し、メディアドライブ４１およびレーベルプリンタ１１でデータ記録および印刷を行った後に、メディアスタッカ７２に収容することができる。
また、例えば、上側のメディアスタッカ２１および下側のメディアスタッカ２２にそれぞれの最大収容枚数（５０枚＋５０枚）の未使用のメディアＭを装填し、下側のメディアスタッカ２２の全枚数（５０枚）のメディアＭを順次処理してメディアスタッカ７２に収容し、次に、上側のメディアスタッカ２１の全枚数（５０枚）のメディアＭを順次処理して、空となった下側のメディアスタッカ２２に収容する。このようにして、上側のメディアスタッカ２１および下側のメディアスタッカ２２の最大収容枚数（５０枚＋５０枚）のメディアＭを一度に処理する（バッチ処理モード）。
【００２８】
また、メディアスタッカ７２を取り外した状態とすれば、上側のメディアスタッカ２１あるいは下側のメディアスタッカ２２から未使用のメディアＭを取り出し、メディアドライブ４１及びレーベルプリンタ１１でデータ記録及び印刷を行った後に、収納状態にある引出トレイ７０のメディアスタッカ部７１に収容することができる。
【００２９】
これにより、その後、引出トレイ７０を引き出すことでメディアスタッカ部７１から処理が完了したメディアＭを取り出すことができる。つまり、メディアＭへの処理中であっても、開閉扉３を閉じたまま、処理が完了したメディアＭから順に１枚ずつあるいは複数枚ずつ取り出すことができる（外部排出モード）。
【００３０】
ここで、メディア搬送機構３１の搬送アーム３６の昇降及び左右への旋回の組み合わせ動作によって、メディアＭは、メディアスタッカ２１、メディアスタッカ２２、引出トレイ７０のメディアスタッカ部７１（またはメディアスタッカ７２）、各メディアドライブ４１のメディアトレイ４１ａ及びレーベルプリンタ１１のメディアトレイ４５間で適宜搬送される。
【００３１】
図４に示すように、レーベルプリンタ１１はインク吐出用のノズル（図示省略）を備えたインクジェットヘッド６１を有するキャリッジ６２を備えており、このキャリッジ６２は、キャリッジモータの駆動力でキャリッジガイド軸に沿って水平方向に往復移動する（図示省略）。
【００３２】
レーベルプリンタ１１は、インクカートリッジ１２が装着されるカートリッジ装着部１４を有するインク供給機構６０を備えている。このインク供給機構６０は、縦型構造を有しており、メディア処理装置１の本体フレーム３０上に立設されて鉛直方向に配設されている。このインク供給機構６０には、可撓性を有するインク供給チューブ６３の一端が接続されており、このインク供給チューブ６３の他端は、キャリッジ６２に接続されている。
【００３３】
そして、インク供給機構６０に装着されるインクカートリッジ１２のインクは、インク供給チューブ６３を介してキャリッジ６２に供給され、このキャリッジ６２に設けられたダンパユニット及び背圧調整ユニット（図示省略）を経てインクジェットヘッド６１に供給されインクノズル（図示省略）から吐出される。
なお、インク供給機構６０には、その上部に主部を配置するように加圧機構６４が設けられており、この加圧機構６４は、圧縮空気を送り出してインクカートリッジ１２内を加圧し、インクカートリッジ１２内のインクパックに貯留しているインクを送り出す。
【００３４】
また、キャリッジ６２のホームポジション（図４に示す位置）における下方側には、ヘッドメンテナンス機構８１が設けられている。
このヘッドメンテナンス機構８１は、ホームポジションに配置されたキャリッジ６２の下面に露出するインクジェットヘッド６１のインクノズルを覆うヘッドキャップ８２と、インクジェットヘッド６１のヘッドクリーニング動作やインク充填動作によってヘッドキャップ８２に排出されたインクを吸引する廃インク吸引ポンプ８３とを備えている。
【００３５】
そして、このヘッドメンテナンス機構８１の廃インク吸引ポンプ８３によって吸引されたインクは、チューブ８４を介して、廃インク吸収タンク８５へ送り込まれる。
この廃インク吸収タンク８５は、ケース８６内に図示しない吸収材を配設したもので、その上面は、複数の通気孔８７を有するカバー８８によって覆われている。
なお、ヘッドメンテナンス機構８１の下方には、廃インク吸収タンク８５の一部である廃インク受け部８９が設けられ、ヘッドメンテナンス機構８１から滴下したインクを受け止め、吸収材によって吸収するようになっている。
【００３６】
次に、本発明の実施形態に係るメディア処理装置の表示灯部の構成を詳細に説明する。図５は、本発明の実施形態に係るメディア処理装置の表示灯部の拡大図である。
【００３７】
本発明の実施形態に係るメディア処理装置には、前述の図１で示したように、表示灯部５が設けられており、この表示灯部５は、３個の（複数の）表示灯であるＬＥＤ（Light Emitting Diode：発光ダイオード）で構成されている。この３個のＬＥＤは、図５に示すように、電源表示用であるＰｏｗｅｒＬＥＤ、ビジー表示用であるＢｕｓｙＬＥＤ、誤作動状態を示すエラー表示用であるＥｒｒｏｒＬＥＤである。
【００３８】
次に、本実施の形態におけるメディア処理装置１の制御構成要部について説明する。図６は本発明の実施形態に係るメディア処理装置の制御構成要部を示すブロック図である。
【００３９】
メディア処理装置１は、図６に示すように、各機能部（ハードウェア）を直接制御・駆動する各制御部（オートローダ制御部１０２、プリンタ制御部１０３）とこれらの各制御部に制御コマンドを送信して制御する主制御部１０１がそれぞれ独立している。このように、各機能部（ハードウェア）を直接に駆動・制御するオートローダ制御部１０２、プリンタ制御部１０３と、主制御部１０１がそれぞれ独立して設けられているので、各機能部（ハードウェア）の変更を伴わない、ホストコンピュータのソフトウェア仕様変更等があっても、主制御部の変更（主制御部の交換あるいは、主制御部のソフトウェアの更新）のみで対処することができる。
【００４０】
オートローダ制御部１０２は、メディアドライブ４１及びメディア搬送機構３１を制御してメディアへのデータ書き込みやメディアの搬送を行わせる。
【００４１】
プリンタ制御部１０３は、レーベルプリンタ１１を制御して、メディアのレーベル面への印刷動作を行わせる。
【００４２】
主制御部１０１は、オートローダ制御部１０２及びプリンタ制御部１０３と接続され、制御コマンドによってこれらを制御する。また、主制御部１０１は、通信手段によってホストコンピュータ２００と接続されており、通常は、ホストコンピュータ２００から送信される書き込みデータ、印刷データ及びコマンドを解析して、オートローダ制御部１０２及びレーベルプリンタ１１に送信する。
【００４３】
また、主制御部１０１は、表示灯同時制御コマンドを発行する表示灯同時制御コマンド発行部１０１Ａを有する。表示灯同時制御コマンドは、表示灯部５のＬＥＤのうち、指定された複数のＬＥＤの点灯パターンを同時に変更可能なコマンドである。
また、オートローダ制御部１０２は、主制御部１０１から送信された表示灯同時制御コマンドを受信し、表示灯同時制御コマンドを、指定されたＬＥＤの表示パターンを同時に変更する制御信号に変換する表示灯同時制御コマンド変換部１０２Ａを有する。
なお、複数のＬＥＤの点灯パターンの組み合わせに固有の意味を持たせる場合とは、メディアドライブ４１、メディア搬送機構３１、レーベルプリンタ１１、開閉扉３，４など各部の動作の開始・停止、各種のエラー、警告の通知などの場合である。
【００４４】
次に、表示灯同時制御コマンドの仕様について説明する。
表示灯同時制御コマンドをコマンドＡとすると、以下のように表される。
コマンドＡ  ｍ１  ｎ１  ｍ２  ｎ２  ｍ３  ｎ３
ｍ（ｍ１，ｎ１，ｍ２）はＬＥＤの種類を指定するパラメータであり、ｍ＝０はＰｏｗｅｒＬＥＤ、ｍ＝１はＢｕｓｙＬＥＤ、ｍ＝２はＥｒｒｏｒＬＥＤである。
ｎ（ｎ２，ｍ３，ｎ３）は点灯パターンを指定するパラメータであり、ｎ＝０は消灯、ｎ＝１は点灯、ｎ＝２は点滅、ｎ＝３は速い点滅である。
【００４５】
次に、本発明の実施形態に係るメディア処理装置における表示灯の制御方法において、図７を参照して、３個のＬＥＤに対して点灯パターンを変更する場合の制御方法について説明する。図７は表示灯同時制御コマンドによる３個のＬＥＤの同時制御のシーケンスを示す図である。
【００４６】
図７において、メディア処理装置の主制御部１０１の表示灯同時制御コマンド発行部１０１Ａは、３個のＬＥＤに対して点灯パターンを変更するようにパラメータを設定した表示灯同時制御コマンド、例えば、「コマンドＡ  ０  ２  １  １  ２  １」を発行する。
【００４７】
そして、「コマンドＡ  ０  ２  １  １  ２  １」をオートローダ制御部１０２へ送信する（ステップＳ１２）。オートローダ制御部１０２の表示灯同時制御コマンド変換部１０２Ａは、この「コマンドＡ  ０  ２  １  １  ２  １」を個別の制御信号（ＰｏｗｅｒＬＥＤ制御信号、ＢｕｓｙＬＥＤ制御信号、ＥｒｒｏｒＬＥＤ制御信号）に変換する（ステップＳ１３）。
【００４８】
オートローダ制御部１０２は、ＰｏｗｅｒＬＥＤ制御信号をＰｏｗｅｒＬＥＤに送信して（ステップＳ１４Ａ）、その点灯パターンを変更し（ステップＳ１５Ａ）、ＢｕｓｙＬＥＤ制御信号をＢｕｓｙＬＥＤに送信して（ステップＳ１４Ｂ）、その点灯パターンを変更し（ステップＳ１５Ｂ）、ＥｒｒｏｒＬＥＤ制御信号をＥｒｒｏｒＬＥＤに送信して（ステップＳ１４Ｃ）、その点灯パターンを変更する（ステップＳ１５Ｃ）。なお、上記「コマンドＡ  ０  ２  １  １  ２  １」を送信する前の各ＬＥＤの点灯パターンが、ＰｏｗｅｒＬＥＤ「点灯」、ＢｕｓｙＬＥＤ「消灯」、ＥｒｒｏｒＬＥＤ「消灯」であったとすると、ＰｏｗｅｒＬＥＤの点灯パターンは「点灯」から「点滅」に変更される。また、ＢｕｓｙＬＥＤの点灯パターンは「消灯」から「点灯」に変更される。また、ＥｒｒｏｒＬＥＤの点灯パターンは「消灯」から「点灯」へ変更される。
【００４９】
次に、図８を参照して、２個のＬＥＤに対して点灯パターンを変更する場合の制御方法について説明する。図８は表示灯同時制御コマンドによる２個のＬＥＤの同時制御のシーケンスを示す図である。
【００５０】
図８において、メディア処理装置の主制御部１０１の表示灯同時制御コマンド発行部１０１Ａは、２個のＬＥＤに対して点灯パターンを変更するようにパラメータを設定した表示灯同時制御コマンド、例えば、「コマンドＡ  ０  ２  ２  ２」を発行する。（ステップＳ２１）。
【００５１】
そして、「コマンドＡ  ０  ２  ２  ２」をオートローダ制御部１０２へ送信する（ステップＳ２２）。オートローダ制御部１０２の表示灯同時制御コマンド変換部１０２Ａは、この「コマンドＡ  ０  ２  ２  ２」を個別の制御信号（ＰｏｗｅｒＬＥＤ制御信号、ＥｒｒｏｒＬＥＤ制御信号）に変換する（ステップＳ２３）。
【００５２】
オートローダ制御部１０２は、ＰｏｗｅｒＬＥＤ制御信号をＰｏｗｅｒＬＥＤに送信して（ステップＳ２４Ａ）、その点灯パターンを変更し（ステップＳ２５Ａ）、ＥｒｒｏｒＬＥＤ制御信号をＥｒｒｏｒＬＥＤに送信して（ステップＳ２４Ｂ）、その点灯パターンを変更する（ステップＳ２５Ｂ）。なお、上記「コマンドＡ  ０  ２  ２  ２」を送信する前の各ＬＥＤの点灯パターンが、ＰｏｗｅｒＬＥＤ「点灯」、ＥｒｒｏｒＬＥＤ「消灯」であったとすると、ＰｏｗｅｒＬＥＤの点灯パターンは「点灯」から「点滅」に変更される。また、ＥｒｒｏｒＬＥＤの点灯パターンは「消灯」から「点滅」へ変更される。また、コマンドで指定しなかったＢｕｓｙＬＥＤは以前の状態を維持する。
【００５３】
次に、図９を参照して、１個のＬＥＤに対して点灯パターンを変更する場合の制御方法について説明する。図９は表示灯同時制御コマンドによる１個のＬＥＤの同時制御のシーケンスを示す図である。
【００５４】
図９において、メディア処理装置の主制御部１０１の表示灯同時制御コマンド発行部１０１Ａは、１個のＬＥＤに対して点灯パターンを変更するようにパラメータを設定した表示灯同時制御コマンド、例えば、「コマンドＡ  ２  １」を発行する。（ステップＳ３１）。
【００５５】
そして、「コマンドＡ  ２  １」をオートローダ制御部１０２へ送信する（ステップＳ３２）。オートローダ制御部１０２の表示灯同時制御コマンド変換部１０２Ａは、「コマンドＡ  ２  １」をＥｒｒｏｒＬＥＤ制御信号に変換する（ステップＳ３３）。
オートローダ制御部１０２は、ＥｒｒｏｒＬＥＤ制御信号をＥｒｒｏｒＬＥＤに送信して（ステップＳ３４）、その点灯パターンを変更する（ステップＳ３５）。なお、上記「コマンドＡ  ２  １」を送信する前のＥｒｒｏｒＬＥＤの点灯パターンが「消灯」であったとすると、「消灯」から「点灯」に変更される。
【００５６】
以上、詳述したように、本発明の実施形態に係るメディア処理装置、メディア処理装置の制御方法及びその制御プログラムによれば、１つの表示灯同時制御コマンドによって、同時に複数のＬＥＤ（表示灯）の点灯パターンを変更させることができるので、複数のＬＥＤ（表示灯）の点灯パターンの組み合わせに固有の意味を持たせる場合に、個々のＬＥＤ（表示灯）の点灯パターンの変化タイミングのずれを無くすこと、あるいは、少なくすることができる。また、複数のＬＥＤ（表示灯）を同時に点滅させたい場合に、点滅タイミングの同期がとりやすいようにすることができる。
また、オートローダ制御部１０２と主制御部１０１がそれぞれ独立して設けられているので、ホストコンピュータ２００のソフトウェア仕様変更等があっても、主制御部１０１の変更（主制御部１０１の交換あるいは、主制御部１０１のソフトウェアの更新）のみで対処することができる。
【図面の簡単な説明】
【００５７】
【図１】各部を閉状態としたメディア処理装置の外観斜視図である。
【図２】各部を開状態としたメディア処理装置の外観斜視図である。
【図３】メディア処理装置のケースを外した状態の前方上側から見た斜視図である。
【図４】メディア処理装置に設置されたレーベルプリンタ部分の斜視図である。
【図５】本発明の実施形態に係るメディア処理装置の表示灯部の拡大図である。
【図６】本発明の実施形態に係るメディア処理装置の制御構成要部を示すブロック図である。
【図７】本発明の実施形態における表示灯同時制御コマンドによる３個のＬＥＤの同時制御のシーケンスを示す図である。
【図８】本発明の実施形態における表示灯同時制御コマンドによる２個のＬＥＤの同時制御のシーケンスを示す図である
【図９】本発明の実施形態における表示灯同時制御コマンドによる１個のＬＥＤの同時制御のシーケンスを示す図である。
【図１０】従来の制御方法によって、メディア処理装置の３つのＬＥＤに対し、点灯パターンを変更する場合の制御シーケンスを示す図である。
【符号の説明】
【００５８】
１…メディア処理装置、３,４…開閉扉、５…表示灯部、１１…レーベルプリンタ、３１…メディア搬送機構、４１…メディアドライブ、１０１…主制御部、１０１Ａ…表示灯同時制御コマンド発行部、１０２…オートローダ制御部、１０２Ａ…表示灯同時制御コマンド変換部、１０３…プリンタ制御部、２００…ホストコンピュータ
【図１】
2010086610.tif 000003
【図２】
2010086610.tif 000004
【図３】
2010086610.tif 000005
【図４】
2010086610.tif 000006
【図５】
2010086610.tif 000007
【図６】
2010086610.tif 000008
【図７】
2010086610.tif 000009
【図８】
2010086610.tif 000010
【図９】
2010086610.tif 000011
【図１０】
2010086610.tif 000012